(57)【要約】      （修正有）【課題】複数の利用者で撮影を行い、各利用者が撮影画像を選択して入手できる撮影システムを提供する。【解決手段】撮影システムは、複数の利用者の各々の識別情報を読み取る読取機２１と、複数の利用者を撮影し、撮影画像を生成する撮影装置２２と、読取機２１が読み取った識別情報と、撮影画像とを送信する制御装置２４と、制御装置２４から識別情報及び撮影画像を受信し、各利用者の識別情報に撮影画像を紐付けて保存するサーバ装置１と、を備える。サーバ装置１は、複数の利用者のいずれかがユーザ端末４を用いてアクセスしてきた場合、この利用者の識別情報に紐付いた撮影画像をユーザ端末４へ送信する。【選択図】図２
2020017132.tif 000002
【特許請求の範囲】
【請求項１】
複数の利用者の各々の識別情報を読み取る第１読取機と、
前記複数の利用者を撮影し、撮影画像を生成する撮影装置と、
前記第１読取機が読み取った識別情報と、前記撮影画像とを送信する第１制御装置と、
前記第１制御装置から前記識別情報及び前記撮影画像を受信し、各利用者の識別情報に前記撮影画像を紐付けて保存するサーバ装置と、
を備え、
前記サーバ装置は、前記複数の利用者のいずれかがユーザ端末を用いてアクセスしてきた場合、この利用者の識別情報に紐付いた撮影画像を前記ユーザ端末へ送信することを特徴とする撮影システム。
【請求項２】
利用者の識別情報を読み取る第２読取機、前記第２読取機が読み取った識別情報を前記サーバ装置へ送信し、前記サーバ装置から前記識別情報に紐付いた複数の撮影画像を受信する第２制御装置、及び受信した複数の撮影画像を表示する表示部を有する画像確認装置をさらに備え、
前記画像確認装置は、前記表示部に前記複数の撮影画像を表示した後、前記利用者から画像の選択を受け付け、画像選択情報を前記サーバ装置へ送信し、
前記サーバ装置は、前記画像選択情報に基づいて前記ユーザ端末へ撮影画像を送信することを特徴とする請求項１に記載の撮影システム。
【請求項３】
前記サーバ装置は、前記第１制御装置から撮影画像と複数の識別情報とを受信すると、各識別情報に１つの撮影画像ファイルが対応するように撮影画像ファイルを複製し、各撮影画像ファイルのファイル名に対応する識別情報を含めることを特徴とする請求項１又は２に記載の撮影システム。
【請求項４】
前記サーバ装置は、前記第１制御装置から撮影画像と複数の識別情報とを受信すると、前記撮影画像と前記複数の識別情報との対応関係を示すテーブルを作成することを特徴とする請求項１又は２に記載の撮影システム。
【請求項５】
前記第１読取機は、前記利用者が装着しているＩＣタグから前記識別情報を読み取ることを特徴とする請求項１乃至５のいずれかに記載の撮影システム。
【請求項６】
前記第１読取機は、前記利用者が着用している衣装に取り付けられたＩＣタグから、前記衣装を識別する衣装識別情報を読み取り、
前記第１制御装置は、前記衣装識別情報を前記撮影画像及び前記利用者の識別情報と共に前記サーバ装置へ送信することを特徴とする請求項１乃至５のいずれか１項に記載の撮影システム。
【発明の詳細な説明】
【技術分野】
【０００１】
本発明は、撮影システムに関する。
【背景技術】
【０００２】
レジャー施設では、利用者を撮影し、写真を販売するサービスが行われている。例えば、アトラクションの入口でスタッフが来場者を撮影し、プリント出力した写真をアトラクションの出口で販売している。
【０００３】
また、利用者を自動撮影し、撮影した写真を販売するサービスが提案されている。例えば、特許文献１には、ロボットに参加証をかざすと、ロボットが利用者の識別情報を読み取り、内蔵カメラで利用者を撮影し、識別情報と撮影画像とをサーバへ送信するシステムが開示されている。
【０００４】
このような従来のシステムでは、複数人からなる１グループに対して１枚の参加証が発行され、撮影画像は１つのＩＤ（識別情報）に紐付けられてサーバに保存される。この場合、グループの代表者が画像を取得し、他メンバーへ画像を配布する必要があり、手間がかかっていた。例えば、画像をデータで取得する場合は他メンバーのＥメールアドレス等へ画像データを転送する必要があり、画像をプリント物で取得する場合は、人数分のプリント物を注文・入手して渡す必要があった。グループの各メンバーは、自分の気に入った画像のみを選択して入手することは困難であった。
【先行技術文献】
【特許文献】
【０００５】
【特許文献１】特開２０１８−７４２８１号公報
【発明の概要】
【発明が解決しようとする課題】
【０００６】
本発明は、複数の利用者で撮影を行い、各利用者が撮影画像を選択して入手できる撮影システムを提供することを課題とする。
【課題を解決するための手段】
【０００７】
本発明による撮影システムは、複数の利用者の各々の識別情報を読み取る第１読取機と、前記複数の利用者を撮影し、撮影画像を生成する撮影装置と、前記第１読取機が読み取った識別情報と、前記撮影画像とを送信する第１制御装置と、前記第１制御装置から前記識別情報及び前記撮影画像を受信し、各利用者の識別情報に前記撮影画像を紐付けて保存するサーバ装置と、を備え、前記サーバ装置は、前記複数の利用者のいずれかがユーザ端末を用いてアクセスしてきた場合、この利用者の識別情報に紐付いた撮影画像を前記ユーザ端末へ送信するものである。
【０００８】
本発明の一態様による撮影システムにおいて、利用者の識別情報を読み取る第２読取機、前記第２読取機が読み取った識別情報を前記サーバ装置へ送信し、前記サーバ装置から前記識別情報に紐付いた複数の撮影画像を受信する第２制御装置、及び受信した複数の撮影画像を表示する表示部を有する画像確認装置をさらに備え、前記画像確認装置は、前記表示部に前記複数の撮影画像を表示した後、前記利用者から画像の選択を受け付け、画像選択情報を前記サーバ装置へ送信し、前記サーバ装置は、前記画像選択情報に基づいて前記ユーザ端末へ撮影画像を送信する。
【０００９】
本発明の一態様による撮影システムにおいて、前記サーバ装置は、前記第１制御装置から撮影画像と複数の識別情報とを受信すると、各識別情報に１つの撮影画像ファイルが対応するように撮影画像ファイルを複製し、各撮影画像ファイルのファイル名に対応する識別情報を含める。
【００１０】
本発明の一態様による撮影システムにおいて、前記サーバ装置は、前記第１制御装置から撮影画像と複数の識別情報とを受信すると、前記撮影画像と前記複数の識別情報との対応関係を示すテーブルを作成する。
【００１１】
本発明の一態様による撮影システムにおいて、前記第１読取機は、前記利用者が装着しているＩＣタグから前記識別情報を読み取る。
【００１２】
本発明の一態様による撮影システムにおいて、前記第１読取機は、前記利用者が着用している衣装に取り付けられたＩＣタグから、前記衣装を識別する衣装識別情報を読み取り、前記第１制御装置は、前記衣装識別情報を前記撮影画像及び前記利用者の識別情報と共に前記サーバ装置へ送信する。
【発明の効果】
【００１３】
本発明によれば、複数の利用者で撮影を行い、各利用者が撮影画像を選択して入手できる。
【図面の簡単な説明】
【００１４】
【図１】（ａ）〜（ｃ）は本発明の実施形態に係る撮影システムの設置例を示す図である。
【図２】同実施形態に係る撮影システムの概略構成図である。
【図３】撮影方法を説明するフローチャートである。
【図４】サーバ装置の機能ブロック図である。
【図５】（ａ）（ｂ）はデータ構造の例を説明する図である。
【図６】画像データのダウンロード方法を説明するフロー図である。
【発明を実施するための形態】
【００１５】
以下、本発明の実施の形態を図面に基づいて説明する。
【００１６】
本発明の実施形態に係る撮影システムは、複数の利用者を撮影し、撮影した画像を利用者単位で保存し、各利用者が気に入った撮影画像データをダウンロードできるようにするものである。例えば、この撮影システムは、利用者が様々な衣装（コスチューム）を着て撮影を行うコスプレ撮影サービスに適用される。
【００１７】
図１（ａ）に示すように、コスプレ撮影を行う会場には、様々な職業やアニメキャラクター等の衣装Ｃが準備されており、利用者Ｕは着てみたい衣装Ｃを選び、着替えブース５で着替える。また、各利用者Ｕには、利用者を識別する識別情報（ＩＤ）が格納されたＩＣタグＴが事前に配布されている。例えば、各利用者Ｕは、サービス利用開始時に料金を支払うと、リストバンド状のＩＣタグＴを受け取る。利用者Ｕは受け取ったＩＣタグＴを身に着ける。
【００１８】
図１（ｂ）に示すように、会場には複数の撮影ブース２が設けられており、衣装Ｃを着た利用者Ｕは、撮影ブース２で撮影を行う。撮影ブース２の入口には読取機（ＩＣタグリーダ）２１が設けられており、撮影ブース２に入室する利用者ＵのＩＣタグＴからＩＤを読み取る。撮影ブース２に入室する利用者Ｕが複数いる場合、読取機２１は、各利用者ＵのＩＣタグＴからＩＤを読み取る。
【００１９】
図２に示すように、各撮影ブース２には、読取機２１、デジタルカメラ等の撮影装置２２、タッチパネル２３、及びパーソナルコンピューター等の制御装置２４が設けられている。
【００２０】
制御装置２４は、読取機２１が読み取ったＩＤをタッチパネル２３に表示させる。利用者Ｕは、表示されたＩＤを見て、撮影ブース２に入室した全員のＩＤが読み取られたことが確認できる。利用者Ｕは、タッチパネル２３に表示された撮影開始ボタンを押して、撮影処理を開始する。撮影装置２２が利用者Ｕを撮影し、撮影画像を生成する。
【００２１】
制御装置２４は、撮影画像をタッチパネル２３に表示させる。撮影は複数回行ってもよい。利用者Ｕは、タッチパネル２３に表示された撮影終了ボタンを押し、撮影ブース２から退室する。制御装置２４は、読取機２１が読み取ったＩＤと、撮影画像とをサーバ装置１へ送信する。撮影ブース２に複数の利用者Ｕが入室し、読取機２１が複数のＩＤを読み取った場合、制御装置２４は、複数のＩＤをサーバ装置１へ送信する。
【００２２】
サーバ装置１は、ＩＤと撮影画像とを紐付けて保存する。
【００２３】
利用者Ｕは、複数の衣装Ｃに着替えて、撮影を行うことができる。利用者Ｕは、気に入った全ての衣装Ｃでの撮影を終えると、図１（ｃ）に示すような会場内に設置された画像確認装置３で、撮影した画像を確認する。図２に示すように、画像確認装置３は、読取機（ＩＣタグリーダ）３１、タッチパネル３３、及びパーソナルコンピューター等の制御装置３４を有する。利用者Ｕは、読取機３１にＩＣタグＴをかざし、ＩＤを読み取らせる。
【００２４】
制御装置３４は、読取機３１が読み取ったＩＤをサーバ装置１へ送信し、このＩＤに紐付いた画像をサーバ装置１から取得する。制御装置３４は、取得した画像をタッチパネル３３に表示させる。本サービスでは、ダウンロード可能な画像数が予め決められており、利用者Ｕは、タッチパネル３３に表示された画像から、気に入った画像を（所定の上限数まで）選択する。制御装置３４は、選択された画像をサーバ装置１に通知する。サーバ装置１は、制御装置３４から通知された画像をダウンロード可能なものとして設定する。
【００２５】
利用者Ｕは、スマートフォンやタブレット端末、パーソナルコンピューター等のユーザ端末４を使用して、選択した画像のデータをダウンロードする。例えば、ユーザ端末４を用いて所定のウェブサイトにアクセスし、ＩＤを入力して画像データをダウンロードする。あるいはまた、ユーザ端末４に予めインストールされているアプリケーションプログラム（アプリ）を起動してサーバ装置１にアクセスし、ＩＤを入力して画像データをダウンロードする。
【００２６】
各利用者がＩＣタグを有しているため、複数の利用者からなるグループで本サービスを利用した場合、撮影画像は各利用者に紐付いてサーバ装置１に保存される。例えば、５人の利用者Ｕ１〜Ｕ５からなるグループで本サービスを利用した場合、全員で撮影した画像は、利用者Ｕ１〜Ｕ５に紐付いて保存され、利用者Ｕ１，Ｕ２のみが撮影ブース２に入って撮影した画像は利用者Ｕ１，Ｕ２のみに紐付いて保存される。各利用者は、画像確認装置３を操作し、自分が欲しいと思う画像を選択し、自身のユーザ端末４で画像データをダウンロードできる。
【００２７】
次に、利用者が撮影ブース２で撮影を行う際の各部の処理を図３に示すフローチャートに沿って説明する。
【００２８】
衣装Ｃを着た利用者が撮影ブース２に入室する際、読取機２１にＩＣタグＴをかざすと、読取機２１が各利用者のＩＣタグＴからＩＤを読み取る（ステップＳ１）。制御装置２４は、読み取られたＩＤ及び各種操作ボタンをタッチパネル２３に表示する。
【００２９】
利用者がタッチパネル２３上の撮影開始ボタンを押すと、制御装置２４が撮影装置２２を制御し、撮影装置２２が利用者を撮影する（ステップＳ２）。制御装置２４は、撮影装置２２から撮影画像を取得し、タッチパネル２３に表示させる。利用者はタッチパネル２３に表示された画像を見て、写り具合を確認できる。
【００３０】
再撮影を行う場合（ステップＳ３＿Ｙｅｓ）、利用者はタッチパネル２３を操作し、撮影開始ボタンを押す。再撮影を行うにあたり、前回撮影した画像を消去できるようにしてもよい。撮影を終了する場合（ステップＳ３＿Ｎｏ）、利用者はタッチパネル２３を操作し、撮影終了ボタンを押す。撮影が終了すると、制御装置２４が、ステップＳ１で読み取られたＩＤと、ステップＳ２で生成された撮影画像とをサーバ装置１へ送信する（ステップＳ４）。制御装置２４がサーバ装置１へ送信する撮影画像のファイル名は、日時、撮影ブースの番号、撮影番号等を組み合わせた一意のものとなるようにする。例えば、２０１８０年７月３０日に１番目の撮影ブースで１２回目に撮影した画像のファイル名は、２０１８０７３０＿Ｂ１＿１２となる。これにより、サーバ装置１が複数の撮影ブース２の制御装置２４から受信する画像のファイル名がそれぞれ異なったものとなる。
【００３１】
利用者は、他の衣装で撮影を行う場合（ステップＳ５＿Ｙｅｓ）、着替えブース５で他の衣装に着替え（ステップＳ６）、空いている撮影ブース２で再び撮影を行う。
【００３２】
次にサーバ装置１について説明する。図４に示すように、サーバ装置１は、ＲＯＭ（Read  Only  Memory）、ＲＡＭ（Random  Access  Memory）、不揮発性メモリ、ハードディスク装置等を含む記憶部１０を有したコンピュータであり、記憶部１０には画像処理プログラム等が格納されている。
【００３３】
サーバ装置１のＣＰＵ（中央処理部）が画像処理プログラムを実行することで、図４に示すように、撮影データ受信部１１、ＩＤ受信部１２、画像抽出部１３、画像送信部１４、及び選択情報受信部１５の機能が実現される。
【００３４】
撮影データ受信部１１は、制御装置２４から、読取機２１がＩＣタグＴから読み取ったＩＤと、撮影装置５が撮影処理により生成した撮影画像とを含む撮影データを受信する。撮影データ受信部１１は、受信したＩＤと撮影画像とを紐付けて記憶部１０に格納する。
【００３５】
例えば、撮影データ受信部１１は、各ＩＤに１つの画像が対応するように、画像ファイルを受信したＩＤの数だけ複製し、各画像ファイルのファイル名にＩＤを含めるようにする。例えば、ｎ人のグループが撮影ブース２で撮影を行い、制御装置２４から、ｎ個のＩＤ（ＩＤ１〜ＩＤｎ）と、１個の撮影画像（ファイル名：２０１８０７３０＿Ｂ１＿１２）とを受信した場合、撮影データ受信部１１は、図５（ａ）に示すように、それぞれファイル名にＩＤが含まれるｎ個の画像ファイルを生成（複製）する。
【００３６】
あるいはまた、図５（ｂ）に示すようなＩＤと画像との対応関係を示すテーブルを作成してもよい。
【００３７】
ＩＤ受信部１２、画像抽出部１３、画像送信部１４、及び選択情報受信部１５は、利用者が画像確認装置３を操作して画像を選択するとき、及びユーザ端末４を用いて画像データをダウンロードするときに処理を行う。各部の処理を図６に示すフローに沿って説明する。
【００３８】
利用者が読取機３１にＩＣタグＴをかざすと、読取機３１がＩＤを読み取る（ステップＳ２１）。制御装置３４が、読み取ったＩＤをサーバ装置１へ送信する（ステップＳ２２）。
【００３９】
ＩＤ受信部１２が、制御装置３４からＩＤを受信する。画像抽出部１３が、受信したＩＤに紐付いた画像を記憶部１０から抽出する（ステップＳ２３）。例えば、図５（ａ）に示すような形式で画像が保存されている場合、画像抽出部１３は、受信したＩＤがファイル名に含まれている画像を抽出する。図５（ｂ）に示すようなテーブルが作成されている場合、画像抽出部１３は、テーブルを参照し、受信したＩＤに対応する画像を抽出する。
【００４０】
画像送信部１４が、抽出した画像を制御装置３４へ送信する（ステップＳ２４）。
【００４１】
制御装置３４が、サーバ装置１から受信した画像をタッチパネル３３に表示させる（ステップＳ２５）。利用者は、タッチパネル３３を操作し、表示された画像の中から、気に入った画像を（所定の上限数まで）選択する（ステップＳ２６）。制御装置３４は、選択された画像を特定する画像選択情報をサーバ装置１へ送信する（ステップＳ２７）。例えば、制御装置３４は、利用者が選択した画像のファイル名をサーバ装置１へ送信する。
【００４２】
選択情報受信部１５は、制御装置３４から画像選択情報を受信し、利用者のＩＤと対応付けて保存する（ステップＳ２８）。
【００４３】
利用者は、画像確認装置３で画像を確認・選択した後、ユーザ端末４を使用して、所定のウェブサイトにアクセスし、又はアプリを起動して、ＩＤを入力する（ステップＳ２９）。入力されたＩＤは、サーバ装置１へ送信される（ステップＳ３０）。
【００４４】
サーバ装置１のＩＤ受信部１２がユーザ端末４からＩＤを受信すると、画像抽出部１３は、受信ＩＤに対応する画像選択情報を参照し、利用者が選択した画像を抽出する（ステップＳ３１）。画像送信部１４は、抽出された画像をユーザ端末４へ送信する（ステップＳ３２）。これにより、利用者は、画像確認装置３で選択した画像をユーザ端末４にダウンロードできる。
【００４５】
このように、本実施形態によれば、複数の利用者で撮影を行い、各利用者が欲しい画像を選択して入手することができる。
【００４６】
上記実施形態では、撮影ブース２において、撮影開始指示によって撮影装置２２が自動撮影を行う例について説明したが、カメラマンが撮影を行ってもよい。
【００４７】
上記実施形態では、各利用者がリストバンド状のＩＣタグＴを身に着ける例について説明したが、カード状、シール状など形式は問わない。複数のＩＣタグを読取機の上に重ねておいて、複数のＩＤをまとめて読み取るようにしてもよい。
【００４８】
上記実施形態では、利用者の識別にＩＣタグを利用する例について説明したが、ビーコン、二次元コード、ＩＣカード等を用いてもよい。
【００４９】
画像確認装置３で画像を選択した後、サーバ装置１が画像ダウンロード用のＵＲＬ（ＵＲＬを示す二次元コード）を生成し、画像確認装置３に設けたプリンタからプリント出力してもよい。また、選択した画像をプリンタからプリント出力してもよい。
【００５０】
衣装Ｃや撮影用の小物に、識別用のＩＣタグを取り付けておいてもよい。利用者が撮影ブース２に入室する際に、読取機２１がＩＤ（衣装ＩＤ）を読み取る。これにより、衣装や小物の利用状況を管理することができる。また、撮影画像に、利用者のＩＤだけでなく、衣装や小物のＩＤを紐付けてもよい。これにより、撮影に用いた衣装や小物の名称等から、撮影画像を検索することができる。
【００５１】
上記実施形態において、タッチパネルに代えて、タッチ機能のないディスプレイと、マウス、キーボード、ボタン等の入力装置とを設けてもよい。
【００５２】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５３】
１  サーバ装置
２  撮影ブース
３  画像確認装置
４  ユーザ端末
【図１】
2020017132.tif 000003
【図２】
2020017132.tif 000004
【図３】
2020017132.tif 000005
【図４】
2020017132.tif 000006
【図５】
2020017132.tif 000007
【図６】
2020017132.tif 000008